(57)【要約】      （修正有）【課題】移動式家屋全体を安全に吊り上げ、かつ家屋に変形を起こさせることのない吊下げ具を提供する。【解決手段】移動式家屋Ａの上方に配置される四角形の吊枠１０と、吊枠１０の四カ所の角部に連結されて、吊上げ機械の吊りフックＣｆに係合される上ロープ２１と、吊枠１０の四カ所の角部から下方に垂下される４本の下ロープ３１と、４本の下ロープ３１のそれぞれの下端に取付けられており、底部枠体に引掛けられる４個の引掛け金具４０とからなる。四角形の吊枠１０を用いて４本の下ロープ３１で移動式家屋Ａの底部フレーム１に引掛けて吊り上げるので、躯体が木質の家屋であっても躯体を変形させずに移動式家屋Ａを吊り上げることができる。【選択図】図１
0003219302.tif 000002
【実用新案登録請求の範囲】
【請求項１】
形状が直方体であり、底部フレームの上部に躯体を載せた移動式家屋の吊下げ具であって、
前記家屋の上方に配置される四角形の吊枠と、
該吊枠の四カ所の角部に連結されて、吊上げ機械の吊りフックに係合される上ロープと、
前記吊枠の四カ所の角部から下方に垂下される４本の下ロープと、
前記４本の下ロープのそれぞれの下端に取付けられており、前記底部フレームに引掛けられる４個の引掛け金具と
からなることを特徴とする移動式家屋の吊下げ具。
【請求項２】
前記上ロープは、ロープ長さを調整する長さ調整具を備えている
ことを特徴とする請求項１記載の移動式家屋の吊下げ具。
【請求項３】
前記吊枠は、その幅が吊上げ対象である移動式家屋の幅寸法よりも大きい
ことを特徴とする請求項１記載の移動式家屋の吊下げ具。
【請求項４】
前記４個の引掛け金具は、前記底部フレームに固着された４個の受け金具に引掛けられる金具である
ことを特徴とする請求項１記載の移動式家屋の吊下げ具。
【考案の詳細な説明】
【技術分野】
【０００１】
本考案は、移動式家屋の吊下げ具に関する。さらに詳しくは、任意の場所に搬送して設置し、撤去も任意に行える移動式家屋の搬送時に使用する吊下げ具に関する。
【背景技術】
【０００２】
移動式の簡易住宅として特許文献１記載の従来技術がある。
この移動式住宅は、壁部、屋根部、床部を形成する板体を組み立ててボックス状の住宅ユニットとした移動式簡易住宅であって、住宅ユニットの下面部には移動用の車輪が取り付けられており、また住宅ユニット内には各種電気器具、寝具、応接セット、浴室、トイレ等が装備されている。
【０００３】
さらに、住宅ユニットの上面の上枠部には吊り下げ用のフックが設けられており、このフックをクレーン等により吊り下げて簡単に住居の移動ができるよう構成されている。
【０００４】
しかるに、上枠部に取付けられた吊下げフックによって住宅ユニット全体を吊り上げるには、住宅ユニット全体の強度が高くなくてはならない。強度を高くするには、ユニット全体を鋼製にすればよいが、重くなって運搬や撤去がやりにくくなる。
一方、住宅利用時の快適さを求めて、床や壁を木製とした移動式住宅も検討されたし。しかしながら、木製の住宅ユニットでは強度が不足し、搬送・設置時の吊上げ作業に支障が生ずる。
【先行技術文献】
【特許文献】
【０００５】
【特許文献１】特開２００２−１２９７６１号公報
【考案の概要】
【考案が解決しようとする課題】
【０００６】
本考案は上記事情に鑑み、木質材を多く用いており鋼製よりは軽量であるが、設置と撤去にクレーンによる吊り上げを要する移動式家屋において、家屋全体を安全に吊り上げ、かつ家屋に変形を起こさせることのない吊下げ具を提供することを目的とする。
【課題を解決するための手段】
【０００７】
第１考案の移動式家屋の吊下げ具は、形状が直方体であり、底部フレームの上部に躯体を載せた移動式家屋の吊下げ具であって、前記家屋の上方に配置される四角形の吊枠と、該吊枠の四カ所の角部に連結されて、吊上げ機械の吊りフックに係合される上ロープと、前記吊枠の四カ所の角部から下方に垂下される４本の下ロープと、前記４本の下ロープのそれぞれの下端に取付けられており、前記底部フレームに引掛けられる４個の引掛け金具とからなることを特徴とする。
第２考案の移動式家屋の吊下げ具は、第１考案において、前記上ロープは、ロープ長さを調整する長さ調整具を備えていることを特徴とする。
第３考案の移動式家屋の吊下げ具は、第１考案において、前記吊枠は、その幅が吊上げ対象である移動式家屋の幅寸法よりも大きいことを特徴とする。
第４考案の移動式家屋の吊下げ具は、第１考案において、前記４個の引掛け金具は、前記底部フレームに固着された４個の受け金具に引掛けられる金具であることを特徴とする。
【考案の効果】
【０００８】
第１考案によれば、四角形の吊枠を用いて４本の下ロープで移動式家屋の底部フレームに引掛けて吊り上げるので、躯体が木質の家屋であっても躯体を変形させずに移動式家屋を吊り上げることができる。また、４本の下ロープは四角形の吊枠を介して４本の上ロープにつなげられているので、４点支持の状態を変えることなく移動式家屋を吊り上げるので、安定した吊り上げが可能である。
第２考案によれば、長さ調整具で上ロープの長さを調整できるので、移動式家屋の重心真上に吊りフックを位置させたり、ロープの緩みを無くすることができ、移動式家屋の安定した吊り上げが可能となる。
第３考案によれば、吊枠の幅が移動式家屋の幅寸法よりも広いので、下ロープが移動式家屋の側面に接触することがなく、移動式家屋を損傷させない。
第４考案によれば、４個の引掛け金具は、移動式家屋の底部枠体に固着された受け金具に引掛けられるので、吊り上げ中に外れる事故は生じず、安全な吊り上げが可能となる。
【図面の簡単な説明】
【０００９】
【図１】本考案の一実施形態に係る吊下げ具Ｆと移動式家屋Ａの正面図である。
【図２】（Ａ）図は吊下げ具Ｆと移動式家屋Ａの平面図である。（Ｂ）図は吊下げ具Ｆと移動式家屋Ａの側面図である。
【図３】（Ａ）は吊下げ具Ｆの平面図、（Ｂ）は側面図である。
【図４】吊下げ具Ｆの説明図である。
【図５】（Ａ）は引掛け金具４０と受け金具５０の説明図、（Ｂ）は受け金具５０の斜視図である。
【図６】移動式家屋Ａの搬送要領の説明図である。
【考案を実施するための形態】
【００１０】
つぎに、本考案の実施形態を図面に基づき説明する。
図１および図２に基づき吊下げ具Ｆとその吊上げ対象である移動式家屋Ａの基本構造を説明する。
まず、吊上げ対象である移動式家屋Ａの形状を簡単に説明する。移動式家屋Ａは直方体上の構造物であって、底部フレーム１とその上部に固定された躯体２とからなる。底部フレーム１はＨ形鋼を用いた強度部材であって、躯体２を支持している。
【００１１】
躯体２は、床材と壁体を木質系材料で作製し、屋根を軽金属板を主材に用いて構成している。躯体２の内部構成は任意であるが、台所モジュールやバスモジュールが設備される例が多い。
このような構造の移動式家屋Ａは、トラック等で運搬され、クレーン等で吊上げて設置・撤去作業が行われる。本考案の吊下げ具Ｆは、このような吊上げ作業に用いられる吊具である。
【００１２】
吊下げ具Ｆは、吊枠１０と上ロープ２１と４本の下ロープ３１と４個の引掛け金具４１とからなる。
吊枠１０は、使用時に移動式家屋Ａの上方に位置させて用いる部材であり、平面視で四角形の形状をしている。
【００１３】
４本の上ロープ２１は吊枠１０の４カ所の角に連結されて上方に延ばされ、吊上げ機械（クレーン等）のフックＣｆに引掛けられて、使用される。図示された上ロープ２１は４本であるが、これに限ることはない。長い２本の上ロープを使い、各上ロープの中間部をフックＣｆに引掛けて、それぞれのロープの両端を吊枠１０の四隅に連結してもよい。
【００１４】
４本の下ロープ３１は吊枠１０の４カ所の角に連結されて下方に延ばされて使用される。各下ロープ３１の下端にはそれぞれ１個の引掛け金具４１が連結されている。
【００１５】
図３および図４に基づき吊枠１０の詳細を説明する。
吊枠１０は２本の長尺の長尺棒１１，１１と２本の短尺の短尺棒１２，１２とからなる。短尺棒１２，１２は、その両端に連結棒１３，１３が取付けられている。連結棒１３，１３は短尺棒１２，１２に対し直角に延びた部材であり、長尺棒１１，１１の端部に差し込まれる部材である。
【００１６】
長尺棒１１と連結棒１３は、角筒状でも丸筒状でもよいが、長尺棒１１の端部の内径は、連結棒１３の外径よりやや大きくしておく必要がある。
図４は長尺棒１１，１１と短尺棒１２，１２が分離した組立て前の状態を示しており、図３は連結棒１３，１３を長尺棒１１，１１の両端に差し込んで、長尺棒１１と短尺棒１２，１２を組み付けた状態を示している。
【００１７】
図３に示すように、短尺棒１２の両端には上方の吊り環１４と下方の吊り環１５とがそれぞれ取り付けられている。したがって、組み上った吊枠１０の四隅には、それぞれ吊り環１４，１５が取り付けられていることになる。
【００１８】
図５に基づき引掛け金具４０を説明する。図５の（Ａ）図は、図２の（Ｂ）図のＶ部分拡大図である。
引掛け金具４０は、側面視で略Ｌ字状をなす部材であり、縦部４１とこの縦部４１の下端から横に延びる横部４２と横部４２に連結されて上方に少し延びる引掛け部４３とからなる。
この引掛け金具４０の底部フレーム１に対する引掛けを確実にするため、受け金具５０が用いられる。
【００１９】
受け金具５０は、図５（Ｂ）に示すように、平面視でコ型となる鋼製部材であり、正面板５１とその両側縁に連結された２枚の側面板５２，５２とからなる。正面板５１には切欠き５３が形成されている。
切欠き５３は縦長孔状であり、正面板５１の上端部分５４は切り欠かずに残される。切欠き５３は正面板５１の下端から形成してもよいが（図示の例）、正面板５１の下端部を残して形成してもよい。
【００２０】
上記の形状の受け金具５０を底部フレーム１の横凹所に嵌め溶接等で固定しておく。
そのうえで、受け金具５０の切欠き５３から引掛け金具４０の引掛け部４３を挿入して、少し持ち上げると、引掛け金具４０は簡単には底部フレーム１から外れなくなる。
【００２１】
つぎに、図６に基づき、本実施形態の吊下げ具Ｆの使用方法を説明する。
Ｉに示す、移動式家屋Ａは組立て完了した状態である。なお、屋根は、別途搬送して現地で組立ててもよく、予め組み付けておいてもよい。
IIは、移動式家屋Ａを搬送用のトラックＴに積み込んだ状態である。この積み込み時にも次に示す吊下げ具Ｆを使用することができる。このトラックＴで搬送先の現場まで移動する。
【００２２】
IIIは、搬送先の現場で移動式家屋Ａを設置する状況を示している。現場では既にコンクリート基礎Ｂが施工されており、この上に移動式家屋Ａを置くのにクレーンＣが利用される。クレーンＣのフックＣｆに吊り下げた吊下げ具Ｆで移動式家屋Ａを吊り上げると、安定した荷役ができる。
IVは、設置完了後の状態を示しており、その後で別送の屋根を取り付けてもよい。
【００２３】
上記の荷役作業において、図１および図２に示すように、吊枠１０の長尺棒１１を移動式家屋Ａの長辺に沿わせ、短尺棒１２を移動式家屋Ａの天井上面を横切るように配置する。そして、下ロープ３１を垂直に垂れ下がらせる。この状態で下ロープ３１の下端の引掛け金具４０は受け金具５０に引掛けられる。
図示の状態では、吊下げ具Ｆが移動式家屋Ａの長手方向の中間位置にあるが、移動式家屋Ａの重心が図１の右側あるいは左側に寄っているときは、受け金具５０の固定位置を重心位置に合わせて、右側や左側に寄せて固定しておくとよい。
【００２４】
図２の（Ｂ）図に示すように、吊枠１０の短尺棒１２は移動式家屋Ａの幅寸法より大きくなっている。このため、下ロープ３１が移動式家屋Ａの側面と接触することはないので、移動式家屋Ａを損傷することはない。
【００２５】
４本または２本の上ロープ２１には、ロープ長さを調整できる長さ調整具を取付けることが好ましい。
長さ調整具には公知の張線器やターンバックルなどを例示できる。
張線器とは、ラチエット機構に付いたハンドルを回転させると巻胴が回転してワイヤーに引張り力を加えられる道具であり、電気工事や鉄道保守の現場で多用されている。ターンバックルは胴と２本のネジ棒とからなり、ネジ棒は一方が右ネジで他方が左ネジである。胴を回転させると２本のネジ棒が互いに引き込まれることで、連結したワイヤーに張力をかけることができる。
このような長さ調整具を取付けておくと、吊枠１０の重心を吊りフックＣｆに合わす作業が容易に行える。
【００２６】
本実施形態の吊下げ具Ｆによれば、つぎの効果を奏する。
（１）四角形の吊枠１０を用いて４本の下ロープ３１で移動式家屋Ａの底部フレーム１に引掛けて吊り上げるので、躯体２が木質の家屋であっても躯体２を変形させずに移動式家屋Ａを吊り上げることができる。
（２）４本の下ロープ３１は四角形の吊枠１０を介して４本の上ロープ２１につなげられているので、４点支持の状態を変えることなく移動式家屋Ａを吊り上げるので、安定した吊り上げが可能である。
（３）長さ調整具で上ロープ２１の長さを調整できるので、移動式家屋Ａの重心真上に吊りフックを位置させたり、ロープの緩みを無くすることができ、移動式家屋Ａの安定した吊り上げが可能となる。
（４）吊枠１０の幅が移動式家屋Ａの幅寸法よりも広いので、下ロープ３１が移動式家屋Ａの側面に接触することがなく、移動式家屋Ａを損傷させない。
（５）４個の引掛け金具４０は、移動式家屋Ａの底部フレーム１に固着された受け金具５０に引掛けられるので、吊り上げ中に外れる事故は生じず、安全な吊り上げが可能となる。
【符号の説明】
【００２７】
Ａ  移動式家屋
Ｆ  吊下げ具
１  底部フレーム
２  躯体
１０  吊枠
２１  上ロープ
３１  下ロープ
４０  引掛け金具
５０  受け金具
【図１】
0003219302.tif 000003
【図２】
0003219302.tif 000004
【図３】
0003219302.tif 000005
【図４】
0003219302.tif 000006
【図５】
0003219302.tif 000007
【図６】
0003219302.tif 000008